(57)【要約】  分散型ＭＣＥネットワーク構成におけるＭＢＭＳサービスをカウントする方法及び装置を提供する。本方法のモビリティ管理要素は、サービス・エリアに属し又モビリティ管理要素にサービスされるｅＮＢにＭＢＭＳサービスＵＥカウント要求メッセージを送信し、ｅＮＢは各々マルチキャスト調整要素機能を統合し、ＭＢＭＳサービスＵＥカウント要求メッセージが正しく受信されたか否かに因らず各々のモビリティ管理要素へフィードバックする為に使用されるＭＢＭＳサービスＵＥカウント応答メッセージをｅＮＢから受信し、ｅＮＢの内の関連ｅＮＢからＭＢＭＳサービスＵＥカウント結果報告を受信し、ＭＢＭＳサービスＵＥカウント結果報告に従い特定のＭＢＳＦＮにおいてＭＢＳＦＮモードでＭＢＭＳサービスを送信すべきか決定し、決定結果に従い対応ｅＮＢにＭＢＭＳサービス・セッション開始メッセージ又はＭＢＭＳサービス・セッション終了メッセージを送信する。
2014523213.tif 000002
【特許請求の範囲】
【請求項１】
モビリティ管理エンティティにおいて、ＭＢＭＳサービスに興味があり、またはＭＢＭＳサービスを受信しているＵＥをカウントするための方法であって、
Ａ．サービス・エリアに属しており、また前記モビリティ管理エンティティによってサービスされる少なくとも１つのｅＮＢに対して少なくとも１つのＭＢＭＳサービスＵＥカウント要求メッセージを送信するステップであって、各ｅＮＢは、それぞれマルチキャスト調整エンティティ機能を統合している、送信するステップと、
Ｂ．前記少なくとも１つのＭＢＭＳサービスＵＥカウント要求メッセージが、前記少なくとも１つのｅＮＢによって正しく受信されたかどうかにかかわらず、それぞれ前記モビリティ管理エンティティに対してフィードバックするために使用される少なくとも１つのＭＢＭＳサービスＵＥカウント応答メッセージを前記少なくとも１つのｅＮＢから受信するステップと、
Ｃ．前記少なくとも１つのｅＮＢのうちの少なくとも１つの関連したｅＮＢから少なくとも１つのＭＢＭＳサービスＵＥカウント結果報告を受信するステップと、
Ｄ．前記少なくとも１つのＭＢＭＳサービスＵＥカウント結果報告に従って、特定のＭＢＳＦＮにおいてＭＢＳＦＮモードで少なくとも１つのＭＢＭＳサービスを送信すべきかどうかを決定するステップと、
Ｅ．前記決定結果に従って、対応するｅＮＢに対してＭＢＭＳサービス・セッション開始メッセージまたはＭＢＭＳサービス・セッション終了メッセージを送信するステップと、
を含む、方法。
【請求項２】
前記カウント要求メッセージは、前記サービス・エリアに属しており、且つ前記モビリティ管理エンティティによってサービスされる前記少なくとも１つのｅＮＢに対して送信される必要があり、また前記ステップＡの前に、前記方法は、
ａ．前記サービス・エリアに対応するｅＮＢを取得するステップ
をさらに含み、前記ステップＡは、
前記サービス・エリアに対応しており、且つ前記モビリティ管理エンティティによってサービスされる前記ｅＮＢに対して前記ＭＢＭＳサービスＵＥカウント要求メッセージを送信するステップ、
をさらに含む、請求項１に記載の方法。
【請求項３】
前記ステップａは、Ｍ３インターフェースを経由して前記ｅＮＢからｅＮＢサービス・エリア構成報告メッセージを受信するステップを含み、前記ｅＮＢサービス・エリア構成報告メッセージは、前記ｅＮＢによってサービスされるセルに対応するサービス・エリアの情報を含んでいる、請求項２に記載の方法。
【請求項４】
前記ＭＢＭＳサービスＵＥカウンティング・メッセージは、ＭＣＣＨを同期してアップデートするように前記少なくとも１つのｅＮＢに指示するために使用されるＭＣＣＨアップデート指示情報を含んでいる、請求項１に記載の方法。
【請求項５】
前記ＭＢＭＳサービスＵＥカウント結果報告は、前記ｅＮＢに対応するＭＢＳＦＮエリア・リストを含んでおり、前記リストの各項目は、それぞれのＭＢＳＦＮエリア識別子と、対応するＭＢＭＳサービス・リストとを含んでおり、前記ＭＢＭＳサービス・リストは、それぞれのＭＢＭＳサービス識別子と、対応するＵＥカウント結果とを含んでおり、
前記ステップＤは、
前記ＭＢＳＦＮエリア識別子に従って、それぞれのＭＢＳＦＮエリア識別子によって識別されるＭＢＳＦＮエリアにおいて、特定のＭＢＭＳサービスを受信することを必要とする前記ＵＥの数を算出するステップ、
をさらに含み、
前記ステップＥは、
前記ＭＢＳＦＮエリアにおいて、前記特定のＭＢＭＳサービスを受信することを必要とする前記ＵＥの数が、第１の所定のしきい値よりも大きいときに、前記ＭＢＳＦＮモードで前記特定のＭＢＭＳサービスを送信するように前記ＭＢＳＦＮエリアの中のｅＮＢに指示するステップ、
をさらに含む、請求項１に記載の方法。
【請求項６】
前記ＭＢＭＳサービスＵＥカウント結果報告は、前記ｅＮＢに対応するＭＢＳＦＮエリア・リストを含んでおり、前記リストの各項目は、それぞれのＭＢＳＦＮエリア識別子と、対応するＭＢＭＳサービス・リストとを含んでおり、前記ＭＢＭＳサービス・リストは、それぞれのＭＢＭＳサービス識別子と、対応するＵＥカウント結果とを含んでおり、
前記ステップＤは、
前記ＭＢＳＦＮエリア識別子に従って、それぞれのＭＢＳＦＮ識別子によって識別されるＭＢＳＦＮエリアにおいて、特定のＭＢＭＳサービスを受信することを必要とし、または前記特定のＭＢＭＳサービスを受信している前記ＵＥの数を算出するステップ、
をさらに含み、
前記ステップＥは、
前記特定のＭＢＭＳサービスを受信することを必要とし、または前記ＭＢＳＦＮエリアにおいて前記特定のＭＢＭＳサービスを受信している前記ＵＥの数が、第２の所定のしきい値よりも低いときに、前記ＭＢＳＦＮモードで前記特定のＭＢＭＳサービスを送信することを停止するように、前記ＭＢＳＦＮエリアにおいて前記ＭＢＳＦＮモードで前記特定のＭＢＭＳサービスを送信しているｅＮＢに指示するステップ、
をさらに含む、請求項１に記載の方法。
【請求項７】
ｅＮＢにおいて、前記ｅＮＢのサービング・モビリティ管理エンティティに対してＭＢＭＳサービスＵＥカウンティング情報を報告するための方法であって、前記ｅＮＢは、マルチキャスト調整エンティティ機能を統合しており、また前記方法は、
Ｉ．前記モビリティ管理エンティティからＭＢＭＳサービスＵＥカウント要求メッセージを受信するステップと、
ＩＩ．前記ＭＢＭＳサービスに興味があり、または前記ＭＢＭＳサービスを受信しているＵＥの数を算出するために前記ｅＮＢによってサービスされる少なくとも１つのＵＥに対して少なくとも１つのＭＢＭＳサービスＵＥカウント要求ＭＣＣＨメッセージを送信するステップと、
ＩＩＩ．前記少なくとも１つのＵＥの内の少なくとも１つの関連したＵＥによってフィードバックされる少なくとも１つのＭＢＭＳサービスＵＥカウント結果報告メッセージを受信するステップであって、前記少なくとも１つのＭＢＭＳサービスＵＥカウント結果報告メッセージは、前記少なくとも１つの関連したＵＥが、前記ＭＢＭＳサービスに興味があり、または前記ＭＢＭＳサービスを受信していることを報告するために使用される、受信するステップと、
ＩＶ．前記関連したＵＥによってフィードバックされる前記少なくとも１つのＭＢＭＳサービスＵＥカウント結果報告メッセージに従って、特定のＭＢＳＦＮにおいて前記ｅＮＢによってサービスされるセルにおいて前記ＭＢＭＳサービスに興味があり、または前記ＭＢＭＳサービスを受信しているＵＥの数を算出するステップと、
Ｖ．前記モビリティ管理エンティティに対してＭＢＭＳサービスＵＥカウント結果報告として算出結果を報告するステップと、
を含む方法。
【請求項８】
前記ステップＩの前に、
Ｍ３インターフェースを経由して前記モビリティ管理エンティティに対してｅＮＢサービス・エリア構成報告メッセージを送信するステップ、
をさらに含み、前記ｅＮＢサービス・エリア構成報告メッセージは、前記ｅＮＢが属しているサービス・エリアの情報を含んでいる、請求項７に記載の方法。
【請求項９】
前記ＭＢＭＳサービスＵＥカウント結果報告は、前記ｅＮＢに対応するＭＢＳＦＮエリア・リストを含んでおり、前記リストの各項目は、それぞれのＭＢＳＦＮエリア識別子と、対応するＭＢＭＳサービス・リストとを含んでおり、前記ＭＢＭＳサービス・リストは、それぞれのＭＢＭＳサービス識別子と、対応するＵＥカウント結果とを含んでいる、請求項８に記載の方法。
【請求項１０】
ｅＮＢにおいて、前記ｅＮＢの優れたモビリティ管理エンティティに対して情報を提供するための方法であって、前記ｅＮＢは、マルチキャスト調整エンティティ機能を統合しており、前記方法は、
Ｍ３インターフェースを経由して、前記モビリティ管理エンティティに対してｅＮＢサービス・エリア構成報告メッセージを送信するステップを含み、前記ｅＮＢサービス・エリア構成報告メッセージは、前記ｅＮＢが属しているサービス・エリアの情報を含んでいる、方法。
【請求項１１】
モビリティ管理エンティティにおいて、ＭＢＭＳサービスに興味があり、またはＭＢＭＳサービスを受信しているＵＥをカウントするための第１の装置であって、
サービス・エリアに属し、また前記モビリティ管理エンティティによってサービスされる少なくとも１つのｅＮＢに対して、少なくとも１つのＭＢＭＳサービスＵＥカウント要求メッセージを送信するための第１の送信デバイスであって、各ｅＮＢは、それぞれマルチキャスト調整エンティティ機能を統合している、第１の送信デバイスと、
前記少なくとも１つのｅＮＢから少なくとも１つのＭＢＭＳサービスＵＥカウント応答メッセージを受信するための第１の受信デバイスであって、前記少なくとも１つの応答メッセージは、前記少なくとも１つのＭＢＭＳサービスＵＥカウント要求メッセージが前記少なくとも１つのｅＮＢによって正しく受信されたかどうかにかかわらず、それぞれ前記モビリティ管理エンティティに対してフィードバックするために使用され、前記第１の受信デバイスは、さらに、前記少なくとも１つのｅＮＢのうちの少なくとも１つの関連したｅＮＢから少なくとも１つのＭＢＭＳサービスＵＥカウント結果報告を受信するために使用される、第１の受信デバイスと、
前記少なくとも１つのＭＢＭＳサービスＵＥカウント結果報告に従って、特定のＭＢＳＦＮにおいてＭＢＳＦＮモードで少なくとも１つのＭＢＭＳサービスを送信すべきかどうかを決定するための決定デバイスと、
前記決定結果に従って対応するｅＮＢに対してＭＢＭＳサービス・セッション開始メッセージ、またはＭＢＭＳサービス・セッション終了メッセージを送信するための処理デバイスと、
を備える、第１の装置。
【請求項１２】
前記カウント要求メッセージは、前記サービス・エリアに属しており、また前記モビリティ管理エンティティによってサービスされる前記少なくとも１つのｅＮＢに対して送信されることを必要としており、前記第１の装置は、
前記サービス・エリアに対応するｅＮＢ情報を取得するための取得デバイス、
をさらに備え、前記第１の送信デバイスは、さらに、前記サービス・エリアに対応する前記ｅＮＢに対して前記ＭＢＭＳサービスＵＥカウント要求メッセージを送信するために使用され、また前記モビリティ管理エンティティによってサービスされる、請求項１１に記載の第１の装置。
【請求項１３】
前記ＭＢＭＳサービスＵＥカウンティング・メッセージは、同期してＭＣＣＨをアップデートするように前記少なくとも１つのｅＮＢに指示するために使用されるＭＣＣＨアップデート指示情報を含んでいる、請求項１１に記載の第１の装置。
【請求項１４】
ｅＮＢにおいて、前記ｅＮＢのサービング・モビリティ管理エンティティに対してＭＢＭＳサービスＵＥカウンティング情報を報告するための第２の装置であって、前記ｅＮＢは、マルチキャスト調整エンティティ機能を統合しており、前記第２の装置は、
前記モビリティ管理エンティティからＭＢＭＳサービスＵＥカウント要求メッセージを受信するための第２の受信デバイスと、
前記ＭＢＭＳサービスに興味があり、または前記ＭＢＭＳサービスを受信しているＵＥの数を算出するために、前記ｅＮＢによってサービスされる少なくとも１つのＵＥに対して少なくとも１つのＭＢＭＳサービスＵＥカウント要求ＭＣＣＨメッセージを送信するための第２の送信デバイスと、
前記関連したＵＥによってフィードバックされる前記少なくとも１つのＭＢＭＳサービスＵＥカウント結果報告メッセージに従って、特定のＭＢＳＦＮにおいて前記ｅＮＢによってサービスされるセルにおいて、前記ＭＢＭＳサービスに興味があり、または前記ＭＢＭＳサービスを受信しているＵＥの数を算出するための算出デバイスと、
前記モビリティ管理エンティティに対してＭＢＭＳサービスＵＥカウント結果報告として、算出結果を報告するための報告デバイスと、
を備え、
前記第２の受信デバイスは、さらに、前記少なくとも１つのＵＥの内の少なくとも１つの関連したＵＥによってフィードバックされる少なくとも１つのＭＢＭＳサービスＵＥカウント結果報告メッセージを受信するために使用され、前記少なくとも１つのＭＢＭＳサービスＵＥカウント結果報告メッセージは、前記少なくとも１つの関連したＵＥが、前記ＭＢＭＳサービスに興味があり、または前記ＭＢＭＳサービスを受信していることを報告するために使用される、第２の装置。
【請求項１５】
ｅＮＢにおいて、前記ｅＮＢの優れたモビリティ管理エンティティに対して情報を提供するための第３の装置であって、前記ｅＮＢは、マルチキャスト調整エンティティ機能を統合しており、また前記第３の装置は、
Ｍ３インターフェースを経由して、前記モビリティ管理エンティティに対してｅＮＢサービス・エリア構成報告メッセージを送信するための第３の送信デバイス、
を備えており、前記ｅＮＢサービス・エリア構成報告メッセージは、前記ｅＮＢが属しているサービス・エリアの情報を含んでいる、第３の装置。
【発明の詳細な説明】
【技術分野】
【０００１】
本発明は、分散型マルチキャスト調整エンティティのネットワーク・アーキテクチャに関し、より詳細には、分散型ＭＣＥのネットワーク・アーキテクチャにおいてＭＢＭＳサービスに興味があり、またはＭＢＭＳサービスを受信しているＵＥをカウントするための方法および装置に関する。
【背景技術】
【０００２】
現在、３ＧＰＰ  ＴＳ  ３６．３００は、２種類のｅＭＢＭＳアーキテクチャを規定しており、図１に示されるように、一方は、ｅＮＢから独立しており、またそれがサービスを行う複数のｅＮＢを管理する、中央集中され、また独立したＭＣＥ（マルチキャスト調整エンティティ（ｍｕｌｔｉｃａｓｔ  ｃｏｏｒｄｉｎａｔｉｏｎ  ｅｎｔｉｔｙ））であり、また他方は、ｅＮＢの中に統合される分散型ＭＣＥである。分散型ＭＣＥアーキテクチャは、ｅＭＢＭＳ（進化型マルチメディア・ブロードキャスト・マルチキャスト・サービス（ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ））サービス、または第１のフェーズにおけるｅＭＢＭＳサービスの一時的展開の、静的な、また簡単な使用のために設計される。分散型ＭＣＥは、ＬＴＥにおけるＭＢＭＳサービスについてのオペレータの展開を加速することができる。しかしながら、設計の目的は、静的な、また簡単な使用を達成することであるので、その分散型ＭＣＥは、通常、動的な、また変更可能なＭＢＭＳサービス・タイプと、スケジューリングについての多数の動的な、また複雑な機能とをサポートすることができない。ＯＡＭ（オペレーションおよびメンテナンスの）方法は、１つのＭＢＳＦＮ（マルチメディア・ブロードキャスト単一周波数（Ｍｕｌｔｉｍｅｄｉａ  Ｂｒｏａｄｃａｓｔ  Ｓｉｎｇｌｅ  Ｆｒｅｑｕｅｎｃｙ））において異なるｅＮＢの中のＭＣＥが、通常静的である整合した構成を保持することになるように、分散型ＭＣＥを構成するための一般的な方法である。例えば、管理者は、ＯＡＭ方法によってモバイル・ネットワーク・テレビジョンのチャネルについてのＭＣＳ（変調および符号化のスキーム（ｍｏｄｕｌａｔｉｏｎ  ａｎｄ  ｃｏｄｉｎｇ  ｓｃｈｅｍｅ））を構成することができる。しかしながら、３ＧＰＰの進展とともに、いくつかの新しい機能、例えば、カウント機能が、ｅＭＢＭＳサービスにおいて導入されている。現在の分散型ＭＣＥアーキテクチャの展開は、機能の実現を満足させることができない。それゆえに、分散型ＭＣＥアーキテクチャの展開シナリオについての最適化が必要とされる。
【０００３】
Ｒｅｌ  １０のｅＭＢＭＳサービスにおいては、カウント機能は、ＭＣＥが全体のＭＢＳＦＮエリアにおいてある種のＭＢＭＳサービスのＭＢＳＦＮ伝送を制御するために導入されている。すなわち、ＭＣＥは、ある種のサービスについてのＭＢＳＦＮ伝送制御を実行するために、１つまたは複数のＭＢＭＳサービスに興味があり、または１つまたは複数のＭＢＭＳサービスを受信しているＵＥの数を算出する。カウンティングは、それらの当該サービスを対象とするものであり、またネットワークによって開始される。現在では、ＭＣＥは、カウント要求の開始ポイントであり、またカウント結果の終了ポイントであり、そこではＭＣＥは、異なるｅＮＢからカウント結果を収集する。次いで、ＭＣＥは、ＭＢＳＦＮ伝送が、カウント結果に従ってサービスのために実行されるべきかどうかを決定する。それゆえに、中央集中型ＭＣＥアーキテクチャは、中央集中された制御および決定を実現することができることは、明らかである。カウント要求は、中央集中型ＭＣＥによって一律に開始される。次いで、異なるｅＮＢからのカウント結果は、中央集中型ＭＣＥによって収集され、また中央集中型ＭＣＥは、全体のＭＢＳＦＮエリアの内部のＭＢＳＦＮ伝送がこのサービスのために実行されることになるかどうかについての一律な決定を行うことになる。
【０００４】
しかしながら、分散型ＭＣＥアーキテクチャでは、ＭＣＥ機能が、各ｅＮＢの中に位置しているので、決定を行うために、カウント要求を一律に開始し、且つカウント結果を収集するために使用される中央集中型ＭＣＥノードは、存在しない。ＭＢＳＦＮエリアにおいて、各ｅＮＢは、それ自体のＭＣＥ機能を有しており、またＭＢＳＦＮエリアの中には、複数のＭＣＥ機能モジュールが存在している。それゆえに、分散型ＭＣＥアーキテクチャにおいてはカウント機能が存在しておらず、またカウント機能は、そのようなアーキテクチャの設計においては、考慮されていないことが明らかである。したがって、分散型ＭＣＥアーキテクチャにおいては、どのようにしてカウント機能を実現すべきか、及び、どのようにしてＭＢＳＦＮ伝送がカウント結果に従ってある種のＭＢＭＳサービスのために実行されるべきかどうかを決定すべきか、という問題が解決される必要がある。
【先行技術文献】
【非特許文献】
【０００５】
【非特許文献１】３ＧＰＰ  ＴＳ３６．３００
【非特許文献２】ＴＳ３６．４４４ｖ１０．１．０
【非特許文献３】ＴＳ３６．４０１
【非特許文献４】ＴＳ３６．３３１
【発明の概要】
【課題を解決するための手段】
【０００６】
本発明の第１の態様によれば、モビリティ管理エンティティにおいて、ＭＢＭＳサービスに興味があり、またはＭＢＭＳサービスを受信しているＵＥをカウントするための方法が提供され、本方法は、サービス・エリアに属しており、またモビリティ管理エンティティによってサービスされる少なくとも１つのｅＮＢに対して、少なくとも１つのＭＢＭＳサービスＵＥカウント要求メッセージを送信するステップであって、各ｅＮＢは、それぞれマルチキャスト調整エンティティ機能を統合している、送信するステップと、少なくとも１つのＭＢＭＳサービスＵＥカウント要求メッセージが、少なくとも１つのｅＮＢによって正しく受信されたかどうかにかかわらず、それぞれモビリティ管理エンティティに対してフィードバックするために使用される少なくとも１つのＭＢＭＳサービスＵＥカウント応答メッセージを少なくとも１つのｅＮＢから受信するステップと、少なくとも１つのｅＮＢから少なくとも１つのＭＢＭＳサービスＵＥカウント結果報告を受信するステップと、少なくとも１つのＭＢＭＳサービスＵＥカウント結果報告に従って、特定のＭＢＳＦＮにおいてＭＢＳＦＮモードで少なくとも１つのＭＢＭＳサービスを送信すべきかどうかを決定するステップと、決定結果に従って対応するｅＮＢに対してＭＢＭＳサービス・セッション開始メッセージまたはＭＢＭＳサービス・セッション終了メッセージを送信するステップとを含む。
【０００７】
本発明の第２の態様によれば、ｅＮＢにおいて、ｅＮＢのサービング・モビリティ管理エンティティに対してＭＢＭＳサービスＵＥカウンティング情報を報告するための方法が提供され、そこでは、ｅＮＢは、マルチキャスト調整エンティティ機能を統合しており、また本方法は、モビリティ管理エンティティからＭＢＭＳサービスＵＥカウント要求メッセージを受信するステップと、ＭＢＭＳサービスに興味があり、またはＭＢＭＳサービスを受信しているＵＥの数を算出するために、ｅＮＢによってサービスされる少なくとも１つのＵＥに対して少なくとも１つのＭＢＭＳサービスＵＥカウント要求ＭＣＣＨメッセージを送信するステップと、少なくとも１つのＵＥの内の少なくとも１つの関連したＵＥによってフィードバックされる少なくとも１つのＭＢＭＳサービスＵＥカウント結果報告メッセージを受信するステップであって、少なくとも１つのＭＢＭＳサービスＵＥカウント結果報告メッセージは、少なくとも１つの関連したＵＥが、ＭＢＭＳサービスに興味があり、またはＭＢＭＳサービスを受信していることを報告するために使用される、受信するステップと、関連したＵＥによってフィードバックされる少なくとも１つのＭＢＭＳサービスＵＥカウント結果報告メッセージに従って、特定のＭＢＳＦＮにおいてｅＮＢによってサービスされるセルにおいてＭＢＭＳサービスに興味があり、またはＭＢＭＳサービスを受信しているＵＥの数を算出するステップと、モビリティ管理エンティティに対してＭＢＭＳサービスＵＥカウント結果報告として算出結果を報告するステップとを含む。
【０００８】
本発明の第３の態様によれば、ｅＮＢにおいて、ｅＮＢの優れたモビリティ管理エンティティに対して情報を提供するための方法が提供され、そこでは、ｅＮＢは、マルチキャスト調整エンティティ機能を統合しており、また本方法は、Ｍ３インターフェースを経由してモビリティ管理エンティティに対してｅＮＢサービス・エリア構成報告メッセージを送信するステップを含んでおり、ｅＮＢサービス・エリア構成報告メッセージは、ｅＮＢが、属しているサービス・エリアの情報を含んでいる。
【０００９】
本発明の第４の態様によれば、モビリティ管理エンティティにおいて、ＭＢＭＳサービスに興味があり、またはＭＢＭＳサービスを受信しているＵＥをカウントするための第１の装置が提供され、第１の装置はサービス・エリアに属し、またモビリティ管理エンティティによってサービスされる少なくとも１つのｅＮＢに対して少なくとも１つのＭＢＭＳサービスＵＥカウント要求メッセージを送信するための第１の送信デバイスであって、各ｅＮＢは、それぞれマルチキャスト調整エンティティ機能を統合している、第１の送信デバイスと、少なくとも１つのｅＮＢから少なくとも１つのＭＢＭＳサービスＵＥカウント応答メッセージを受信するための第１の受信デバイスであって、少なくとも１つの応答メッセージは、少なくとも１つのＭＢＭＳサービスＵＥカウント要求メッセージが、少なくとも１つのｅＮＢによって正しく受信されたかどうかにかかわらず、それぞれモビリティ管理エンティティに対してフィードバックするために使用され、第１の受信デバイスは、さらに、少なくとも１つのｅＮＢのうちの少なくとも１つの関連したｅＮＢから少なくとも１つのＭＢＭＳサービスＵＥカウント結果報告を受信するために使用される、第１の受信デバイスと、少なくとも１つのＭＢＭＳサービスＵＥカウント結果報告に従って、特定のＭＢＳＦＮにおいてＭＢＳＦＮモードで少なくとも１つのＭＢＭＳサービスを送信すべきかどうかを決定するための決定デバイスと、決定結果に従って対応するｅＮＢに対してＭＢＭＳサービス・セッション開始メッセージ、またはＭＢＭＳサービス・セッション終了メッセージを送信するための処理デバイスと、を備える。
【００１０】
本発明の第５の態様によれば、ｅＮＢにおいて、ｅＮＢのサービング・モビリティ管理エンティティに対してＭＢＭＳサービスＵＥカウンティング情報を報告するための第２の装置が提供され、そこではｅＮＢは、マルチキャスト調整エンティティ機能を統合しており、また第２の装置は、モビリティ管理エンティティからＭＢＭＳサービスＵＥカウント要求メッセージを受信するための第２の受信デバイスと、ＭＢＭＳサービスに興味があり、またはＭＢＭＳサービスを受信しているＵＥの数を算出するためにｅＮＢによってサービスされる少なくとも１つのＵＥに対して少なくとも１つのＭＢＭＳサービスＵＥカウント要求ＭＣＣＨメッセージを送信するための第２の送信デバイスであって、第２の受信デバイスは、さらに、少なくとも１つのＵＥの内の少なくとも１つの関連したＵＥによってフィードバックされる少なくとも１つのＭＢＭＳサービスＵＥカウント結果報告メッセージを受信するために使用され、少なくとも１つのＭＢＭＳサービスＵＥカウント結果報告メッセージは、少なくとも１つの関連したＵＥが、ＭＢＭＳサービスに興味があり、またはＭＢＭＳサービスを受信していることを報告するために使用される、第２の送信デバイスと、関連したＵＥによってフィードバックされる少なくとも１つのＭＢＭＳサービスＵＥカウント結果報告メッセージに従って、特定のＭＢＳＦＮにおいて、ｅＮＢによってサービスされるセルにおいて、ＭＢＭＳサービスに興味があり、またはＭＢＭＳサービスを受信しているＵＥの数を算出するための算出デバイスと、モビリティ管理エンティティに対してＭＢＭＳサービスＵＥカウント結果報告として、算出結果を報告するための報告デバイスとを備える。
【００１１】
本発明の第６の態様によれば、ｅＮＢにおいて、ｅＮＢの優れたモビリティ管理エンティティに対して情報を提供するための第３の装置が提供され、そこではｅＮＢは、マルチキャスト調整エンティティ機能を統合しており、また第３の装置は、Ｍ３インターフェースを経由して、モビリティ管理エンティティに対してｅＮＢサービス・エリア構成報告メッセージを送信するための第３の送信デバイスを備えており、ｅＮＢサービス・エリア構成報告メッセージは、ｅＮＢが属しているサービス・エリアの情報を含んでいる。
【００１２】
本発明の解決法を用いて、ＭＭＥは、カウンティング・プロシージャの中央集中された制御を担っており、またカウント結果は、中央集中型スタンドアロンＭＣＥにおけるように、分散型ＭＣＥアーキテクチャにおいて決定される。Ｍ２ＡＰカウント要求および報告のプロシージャに類似した簡単なＭ３ＡＰシグナリング・プロシージャだけが、Ｍ３インターフェースに対して追加される。それは、分散型アーキテクチャにおける、分散された初期化の収集の複雑さ、カウント要求決定の複雑さ、および結果決定の複雑さを回避する。それは、カウント要求プロシージャを生成し、また初期化し、カウント結果に従ってサービスのためのＭＢＳＦＮ伝送について、カウント結果を処理し、また決定を行い、またセッション開始メッセージをｅＮＢに対して送信することを決定し、またスケジュールするために、ＭＭＥにおいて追加の機能を必要とする。
【００１３】
非限定的な実施形態についての以下の詳細な説明を参照すれば、本発明の他の特徴、目的および利点は、より明らかになるであろう。
【図面の簡単な説明】
【００１４】
【図１】中央集中型ＭＣＥアーキテクチャのネットワーク概略及び分散型ＭＣＥアーキテクチャのネットワーク概略を示す図である。
【図２】本発明の詳細な一実施形態によるシステム方法のフローチャートを示す図である。
【図３】本発明の詳細な一実施形態に従って設計されたｅＮＢのサービス・エリア構成報告プロシージャを示す図である。
【図４】本発明の詳細な一実施形態に従って設計されたＭＢＭＳサービスＵＥカウント結果報告メッセージの例示のＭ３ＡＰシグナリング構造を示す図である。
【図５】本発明の一実施形態による装置の図である。
【発明を実施するための形態】
【００１５】
同じ、または類似した参照番号は、同じ、または類似した装置（モジュール）またはステップのことを意味している。
【００１６】
以下では、本発明におけるいくつかの用語が、最初に簡単に説明されるであろう。
【００１７】
ＭＢＳＦＮ（マルチメディア・ブロードキャスト単一周波数ネットワーク）は、すなわち、ＭＢＭＳデータが、複数の緊密に時間同期されたセルの無線インターフェースの上で同時に伝送されるマルチ・セル伝送モードである。ＵＥは、複数のセルからの同期信号を受信し、また組み合わせる。実際には、各々がシンボルの開始時に、複数のセルからの伝送が巡回プレフィックスの内部でＵＥに到着するために十分に緊密に同期化されることを仮定すると、ＭＢＳＦＮ伝送は、単一の大きなセルからの伝送としてＵＥには見え、またＵＥレシーバは、単一セルの伝送のマルチ・パス・コンポーネントと同じやり方でマルチ・セル伝送を取り扱うことができる。
【００１８】
ＭＢＳＦＮエリアは、セルが、同じコンテンツを送信する、すなわち、ＭＢＳＦＮ伝送を実行し、またＵＥが、ＭＢＳＦＮの組合せを実行するエリアのことを意味する。ネットワークにおいては、同時に複数のＭＢＳＦＮエリアが存在する可能性があり、またＭＢＭＳサービスが複数のＭＢＳＦＮエリアの上で送信されることもある。平均時間において、システムはまた、複数のＭＢＳＦＮエリアがセルの中でオーバーラップされるシナリオをサポートすることもできる。ＵＥハンドオーバのための、またはセル再選択のための候補のセルは、サービング・セルとは異なるＭＢＳＦＮエリアに属していることができる。
【００１９】
原理的には、１つのＭＢＳＦＮエリアは、１つのＭＣＥによって制御される。しかし、分散型ＭＣＥ展開では、ｅＮＢの中の各ＭＣＥは、この単一のｅＮＢについてのＭＢＳＦＮ伝送の無線リソース制御を担うだけである。ｅＮＢの中の分散型ＭＣＥは、通常、対応するＭＢＭＳ  ＰＲＢ（物理リソース・ブロック（Ｐｈｙｓｉｃａｌ  Ｒｅｓｏｕｒｃｅ  Ｂｌｏｃｋ））パラメータについてのＯＡＭ事前構成の方法によって実施される。同じＭＢＳＦＮエリアの内部のすべてのｅＮＢは、同じＭＢＭＳ  ＰＲＢパラメータの事前構成を有する。分散型ＭＣＥアーキテクチャでは、Ｍ２インターフェースは、ＭＣＥと、対応するｅＮＢとの間で保持されるべきである。それは、ｅＮＢの内部インターフェースとして実施されることになる。以下では、ｅＮＢは、説明オブジェクトとして設定されることになる。本発明においては分散型ＭＣＥ展開シナリオが説明されるので、ＭＣＥ機能はｅＮＢの中に統合されることが、当業者によって理解されるであろう。以下で説明されるＭ３インターフェースは、ＭＭＥと、ＭＣＥとの間にあり、すなわち、ＭＭＥと、ｅＮＢとの間にある。
【００２０】
分散型ＭＣＥアーキテクチャは、固定されたＯＡＭ事前構成と、固定されたマッピング規則とに基づいてＭＢＳＦＮ伝送を達成することができることが理解されるだろう。しかしながら、これは、よりランダム化され、また中央集中された制御を必要とするカウント機能については難しい。それゆえに、出願人は、ＭＭＥ（モビリティ管理エンティティ）機能と、Ｍ３インターフェースとを改善して、カウント機能をサポートすることを提案している。
【００２１】
分散型ＭＣＥアーキテクチャにおけるカウント機能を中央集中して制御するために、出願人は、ＭＣＥにサービスするネットワーク・ノードＭＭＥに対して中央集中された制御および決定の機能を移動させる。したがって、一方では、カウンティング・プロシージャは、全体のＳＡ（サービス・エリア（ｓｅｒｖｉｃｅ  ａｒｅａ））の内部でｅＮＢに統合されるＭＭＥによって開始されることになる。ＳＡは、高レイヤのアプリケーション・レイヤの概念である。一般に、１つのＳＡは、１つのサービスに対応する。ＭＭＥが、複数のサービスを管理するときに、１つのＭＭＥは、それに対応して複数のＳＡを含んでいる。他方では、ＭＭＥは、カウント結果を収集する役割を担い、またサービスのＭＢＳＦＮ伝送についての一律な決定を行う。分散型ＭＣＥアーキテクチャにおいてＭＭＥによって行われるカウンティング・プロシージャの完全なフローチャートは、図２の中に示されている。この実施形態において、本発明者等は、説明すべき例としてのセッションを開始する前にシナリオを設定する。
【００２２】
最初に、ステップＳ２０１において、ＭＭＥ  １は、ＭＢＭＳゲートウェイを経由してＢＭＳＣ（ブロードキャスト・マルチキャスト・サービス・センタ（Ｂｒｏａｄｃａｓｔ  Ｍｕｌｔｉｃａｓｔ  Ｓｅｒｖｉｃｅ  Ｃｅｎｔｅｒ））からＭＢＭＳセッション開始要求メッセージを受信する。１つのサービスについてのカウンティング・プロシージャが、オペレータによって決定されるので、オペレータは、ＭＭＥにおいてカウンティング・プロシージャの開始をトリガすることができる。このプロセスは、ＭＣＥにおいて、カウント要求をトリガすることと類似している。オペレータは、カウント要求を処理するＭＭＥに対してＯＡＭコンソール・コマンドを送信することによって開始されることもある。ＭＭＥは、サービス・エリアの情報を知っているだけなので、ＭＭＥによって開始されるカウント要求は、全体のサービス・エリアにおいて分散するであろう。
【００２３】
どのようにしてＭＭＥ  １が、サービス・エリアの情報を獲得し、またサービス・エリアの情報をｅＮＢのリストに対してマッピングするかは、以下の２つのオプションを経由して達成される可能性がある。
オプション１：ＭＭＥにおいて構成される
最初に、ＭＭＥは、ｅＮＢからＳ１インターフェースを経由してＴＡ（トラッキング・エリア（ｔｒａｃｋｉｎｇ  ａｒｅａ）のリストを受信することができる。したがって、ＭＭＥは、どのｅＮＢが、どのＴＡの中に含まれるかを知ることができる。ＳＡと、ＴＡのリストとの間の対応するマッピングが、ＭＭＥにおいて構成される場合、ＳＡと、ｅＮＢのリストとの間のマッピングは、これらの２つの以前の組の情報を使用することにより、簡単に推論される可能性がある。
オプション２：ｅＮＢがＭＭＥに対してその制御されたセルのサービス・エリアの情報を報告することを可能にするように新しいＭ３ＡＰプロシージャを導入すること
【００２４】
次いで、ＭＭＥは、マッピング・サービス・エリアの知識とｅＮＢのリストとを獲得することができる。このプロシージャは、ｅＮＢ／ＭＣＥのスタートアップの初期ステージにおいて処理される必要があり、このｅＮＢ／ＭＣＥのスタートアップは、Ｍ２インターフェースにおけるＭ２セットアップ・プロシージャに類似している。それゆえに、そのようなプロシージャは、Ｍ３セットアップのコンテンツの一部分として規定される可能性がある。ここで、「ｅＮＢ  ＳＡ構成報告」プロシージャは、ただ一例として使用されるだけである。
【００２５】
この新しいＭ３ＡＰの「ｅＮＢ  ＳＡ構成報告」プロシージャは、クラス１またはクラス２のプロシージャとすることができる。
【００２６】
【表１】
2014523213.tif 000003
【００２７】
ｅＮＢ  ＳＡ構成報告プロシージャについての基本的なシグナリング・フローチャートは、以下のように示される。ｅＮＢは、ｅＮＢ  ＳＡ構成報告メッセージをＭＭＥに対して送信することによりプロシージャを開始し、そのメッセージは、ｅＮＢ制御されたセルのサービス・エリアの情報を含んでいる。図３は、ｅＮＢとＭＭＥとの間のシグナリング相互作用プロシージャを示すものである。
【００２８】
ｅＮＢ  ＳＡ構成報告の詳細なシグナリング設計は、以下のようにリストアップされる（注意：参照セクションは、ＴＳ３６．４４４ｖ１０．１．０のことを意味している）。
【００２９】
ｅＮＢ  ＳＡ構成報告
このメッセージは、その制御されたセルのサービス・エリアの情報を報告するために、ｅＮＢ／ＭＣＥによって送信される。
【００３０】
【表２】
2014523213.tif 000004
【００３１】
そこでは、ＩＥ／グループ名と、存在と、範囲と、ＩＥタイプおよび参照と、意味論の説明と、臨界と、割り当てられた臨界とが、当技術分野における知られているパラメータであり、それゆえに本明細書においては詳細に説明されないであろう。
【００３２】
【表３】
2014523213.tif 000005
【００３３】
Ｅ−ＵＴＲＡＮ（進化型ユニバーサル地上波無線アクセス・ネットワーク（ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ））のＣＧＩ（セル・グループ・アイデンティティ（ｃｅｌｌ  ｇｒｏｕｐ  ｉｄｅｎｔｉｔｙ））
この情報要素を使用して、グローバルにセルを識別する（ＴＳ３６．４０１を参照すること）
【００３４】
【表４】
2014523213.tif 000006
【００３５】
次いで、ステップＳ２０２において、ＭＭＥ  １は、特定のサービス・エリアに属し、またＭＭＥ  １によってサービスされるｅＮＢ  ２に対してＭＢＭＳサービスＵＥカウント要求（ＭＢＭＳサービス・カウント要求としても表される）を送信する。
【００３６】
Ｍ３インターフェースにおいては、新しいプロシージャは、「ＭＢＭＳサービス・カウンティング」として規定される必要があり、このＭＢＭＳサービス・カウンティングは、クラス１のプロシージャであり、また表２の中に示される。
【００３７】
【表５】
2014523213.tif 000007
【００３８】
ＭＢＳＦＮエリアは、ＭＣＥによって知られ、またＭ２セットアップ・プロシージャを経由してｅＮＢ  ２に通知されたＲＡＮ（無線アクセス・ネットワーク（Ｒａｄｉｏ  Ａｃｃｅｓｓ  Ｎｅｔｗｏｒｋ））の概念であるので、ＭＭＥ  １は、開始時にはＭＢＳＦＮエリアの情報を有してはいない。ＭＣＥ機能を有するｅＮＢ  ２は、開始時に構成されたＭＢＳＦＮエリアの情報を有する。ＭＢＳＦＮ伝送のカウント機能の決定は、各ＭＢＳＦＮエリアを対象としている。しかしＭＭＥ  １だけが、１つのサービスについてのサービス・エリアについての情報を有する。それゆえに、最初に、ＭＭＥ  １は、カウント要求を全体のサービス・エリアに対して送信する。
【００３９】
Ｍ２ＡＰ  ＭＢＭＳサービス・カウント要求メッセージと同様に、Ｍ３ＡＰ  ＭＢＭＳサービスＵＥカウント要求メッセージはまた、ｅＮＢ  ２が同時にアップデートされたＭＣＣＨメッセージを経由して無線インターフェースの上でＵＥ  ３に対して統一されるようにカウント要求をブロードキャストするための、「ＭＣＣＨアップデート時間」を示す必要もある。ＭＢＳＦＮ伝送のためのＭＣＣＨアップデート同期化を達成するために、修正期間（ＭＰ：ｍｏｄｉｆｉｃａｔｉｏｎ  ｐｅｒｉｏｄ）の持続時間は、ＭＭＥにおいて構成される必要がある。
【００４０】
しかしながら、Ｍ２ＡＰ  ＭＢＭＳサービス・カウント要求とは異なって、ＭＭＥ  １は、ＭＢＳＦＮエリアのそのような情報を有していないので、このサービスが、カウントされるように要求されるＭＢＳＦＮエリアを示すためにメッセージの中には、「ＭＢＳＦＮエリアＩＤ」は存在しないことになるであろう。したがって、サービスについてのカウント要求は、全体のサービス・エリア範囲の中にある。
【００４１】
もちろん、Ｍ２ＡＰ  ＭＢＭＳサービス・カウント要求と同様に、ＭＭＥ  １は、１つのＭ３ＡＰ  ＭＢＭＳサービスＵＥカウント要求メッセージの中で同時に複数のサービスをカウントすることを要求することができるが、すべてのこれらのサービスは、同じサービス・エリアを有する必要がある。
【００４２】
Ｍ３ＡＰ  ＭＢＭＳサービスＵＥカウント要求の詳細なシグナリング設計は、以下のようにリストアップされる。
（注意：参照セクションは、ＴＳ３６．４４４ｖ１０．１．０を参照している）
【００４３】
ＭＢＭＳサービスＵＥカウント要求
このメッセージは、ＭＢＭＳサービス（単数または複数）を受信しており、またはＭＢＭＳサービス（単数または複数）に興味がある接続されたモードのＵＥの数を報告するようにｅＮＢ  ２に要求するために、ＭＭＥ  １によって送信される。
方向：ＭＭＥ→ｅＮＢ／ＭＣＥ
【００４４】
【表６】
2014523213.tif 000008
そこでは、ＴＭＧＩは、一時的なモバイル・グループ・アイデンティティを表す
【００４５】
【表７】
2014523213.tif 000009
【００４６】
【表８】
2014523213.tif 000010
【００４７】
この情報要素は、ｅＮＢが、ＴＳ３６．３００において指定されるように、ＭＣＣＨのアップデートされたものを適用すべき時間を示している。
【００４８】
次いで、ステップＳ２０３において、ｅＮＢ  ２は、応答メッセージをＭＭＥ  １に対して送信する。本明細書においては、ｅＮＢ  ２だけが、説明されるべき一例として設定される。しかしながら、ＭＢＭＳサービス要求メッセージを受信しているすべてのｅＮＢは、ｅＮＢが、ＭＢＭＳサービスに興味があり、またはＭＢＭＳサービスを受信しているＵＥにサービスするか否かにかかわらず、応答メッセージをＭＭＥに対してフィードバック必要があることが、当業者によって理解される。すなわち、ＭＭＥ  １は、少なくとも１つのｅＮＢから少なくとも１つのＭＢＭＳサービスＵＥカウント応答メッセージを受信し、その少なくとも１つの応答メッセージは、ＭＢＭＳサービスＵＥカウント要求メッセージが、少なくとも１つのｅＮＢによって正しく受信されているかどうかにかかわらず、それぞれモビリティ管理エンティティに対してフィードバックするために使用されている。
【００４９】
具体的には、ひとたび、対応するｅＮＢがＭ３インターフェースにおいてＭＢＭＳサービスＵＥカウント要求を正しく受信した後に、ｅＮＢは、ＭＢＭＳサービスＵＥカウント応答を用いてＭＭＥに対して応答し、また後続のカウンティング・プロセスについて準備することになる。
【００５０】
Ｍ３ＡＰ  ＭＢＭＳサービス・カウント応答の詳細なシグナリング設計は、以下のようにリストアップされる。
（注意：参照セクションは、ＴＳ３６．４４４ｖ１０．１．０のことを意味する）
【００５１】
ＭＢＭＳサービス・カウント応答
このメッセージは、ＭＢＭＳサービス・カウント要求メッセージに肯定応答するためにｅＮＢ／ＭＣＥによって送信される。
【００５２】
【表９】
2014523213.tif 000011
【００５３】
ｅＮＢが、ＭＭＥからのＭＢＭＳサービスＵＥカウント要求を正しく処理することができない場合、それは、ＭＢＭＳサービスＵＥカウンティングの失敗をＭＭＥに対して戻すべきである。
【００５４】
Ｍ３ＡＰ  ＭＢＭＳサービスＵＥカウンティングの失敗についての詳細なシグナリング設計は、以下のようにリストアップされる。
（注意：参照セクションは、ＴＳ３６．４４４ｖ１０．１．０のことを意味している）
【００５５】
ＭＢＭＳサービスＵＥカウンティングの失敗
このメッセージは、ＭＢＭＳサービスＵＥカウント要求メッセージからの要求の不成功の結果を報告するためにｅＮＢ／ＭＣＥによって送信される。
【００５６】
【表１０】
2014523213.tif 000012
【００５７】
図２の中のステップＳ２０４からステップＳ２０７は、中央集中型スタンドアロンＭＣＥアーキテクチャにおけるカウンティング・プロシージャと類似しており、カウント結果は、ｅＮＢと、ＵＥとの間の無線インターフェース対話を参照することにより取得される。
【００５８】
まず第１に、ステップＳ２０４において、ｅＮＢ  ２は、受信されたカウント要求に従って、及び、「ＭＣＣＨアップデート時間」表示に従って、対応するＭＣＣＨメッセージを生成し、無線インターフェースにおいてブロードキャストされるＭＣＣＨメッセージをアップデートする。
【００５９】
ステップＳ２０５において、ｅＮＢ  ２は、ｅＮＢ  ２によってサービスされる少なくとも１つのＵＥに対して、少なくとも１つのＭＢＭＳサービスＵＥカウント要求ＭＣＣＨメッセージを送信し、すなわち、ｅＮＢ  ２は、無線インターフェースを経由してＵＥに対してＭＣＣＨメッセージを送信する。ＵＥのＭＢＭＳカウンティング状況を要求するために、ＭＣＣＨメッセージが使用される。
【００６０】
次いで、ステップＳ２０６において、関連したＵＥは、ｅＮＢに対してＭＢＭＳサービスＵＥカウント結果報告メッセージを報告し、関連したＵＥが、ＭＢＭＳサービスに興味があり、またはＭＢＭＳサービスを受信していることを報告する。
【００６１】
具体的には、ＭＢＭＳサービスＵＥカウント要求ＭＣＣＨメッセージを受信しているＵＥは、最初に、このＭＢＭＳサービスに興味があり、またはこのＭＢＭＳサービスを受信しているかどうかを決定することになる。ＵＥが、このＭＢＭＳサービスに興味があり、またはこのＭＢＭＳサービスを受信している場合には、ＵＥは、例えばＵＥ  ３は、ＭＢＭＳサービスＵＥカウント結果報告メッセージをｅＮＢ  ２に対してフィードバックすることになり、報告メッセージは、ＵＥが、ＭＢＭＳサービスに興味があり、またはＭＢＭＳサービスを受信していることを示している。
【００６２】
ｅＮＢ  ２からＵＥ  ３によって受信されるＭＢＭＳサービスＵＥカウント要求メッセージが、複数のサービスを含むことができることを考慮すると、ＵＥ  ３によってｅＮＢ  ２に対して報告されるＭＢＭＳサービスＵＥカウント結果報告メッセージは、あるリストを含んでいることが好ましく、そのリストは、ＵＥが興味を持っており、または受信しているＭＢＭＳサービスのサービス識別子を含んでいる。もちろん、上記実施形態は、一例であるにすぎない。実際のネットワーク・アプリケーションにおいては、リストの形式は、変更可能である。
【００６３】
次いで、ステップＳ２０７において、ｅＮＢ  ２は、カウント要求のすべての関連したＵＥ応答を収集する。次いで、ｅＮＢ  ２は、そのＭＢＳＦＮエリアにおいて、カウンティングが要求され、またＵＥが興味を持ち、または受信しているそのＭＢＭＳサービスについての表示を有するＵＥ応答に従って、それ自体のカウント結果報告を生成する。
【００６４】
次いで、ステップＳ２０８において、Ｍ３インターフェースにおいて、新しいプロシージャが、「ＭＢＭＳサービス・カウント結果報告」として規定される必要があり、このＭＢＭＳサービス・カウント結果報告は、クラス２のプロシージャであり、すなわち、応答のないプロシージャである。
【００６５】
【表１１】
2014523213.tif 000013
【００６６】
Ｍ２ＡＰ  ＭＢＭＳサービス・カウント結果報告と同様に、Ｍ３ＡＰ  ＭＢＭＳサービス・カウント結果報告はまた、どのＭＢＳＦＮエリアにこのｅＮＢ  ２が属しているかを示すＭＢＳＦＮエリア情報を有している。また、各ＭＢＳＦＮエリアに関しては、各々の要求されたＭＢＭＳサービスのカウント結果を示すＭＢＭＳサービス・カウンティング・リストが含まれている。しかしながら、複数のＭＢＳＦＮエリアのオーバーラップする例と、同時複数サービス・カウント要求とを考慮すると、Ｍ３ＡＰ  ＭＢＭＳサービス・カウント結果報告は、１つのメッセージの中の複数のＭＢＳＦＮエリアにおいて複数のＭＢＭＳサービス・カウント結果を報告することができる。
【００６７】
ｅＮＢ  ２のＭＢＭＳサービスＵＥカウント結果報告は、ｅＮＢ  ２に対応するＭＢＳＦＮエリア・リストを含んでおり、そこではリストの各項目は、それぞれのＭＢＳＦＮエリア識別子と、対応するＭＢＭＳサービス・リストとを含んでおり、またＭＢＭＳサービス・リストは、それぞれのＭＢＭＳサービス識別子と、対応するＵＥカウント結果とを含んでいる。対応するＵＥカウント結果は、例えば、図４に示されるように、ＭＢＭＳサービスに興味があり、またはＭＢＭＳサービスを受信しているＵＥの数を含んでいる。
【００６８】
ＭＭＥは、サービス・エリアに属し、またＭＭＥによってサービスされるすべてのｅＮＢに対してＭＢＭＳサービスＵＥカウント要求メッセージを送信するが、サービス・エリアに属しており、またＭＭＥによってサービスされるｅＮＢは、ＭＢＭＳサービスに興味があり、またはＭＢＭＳサービスを受信しているＵＥにサービスをしない可能性があることが、当業者によって理解される。したがって、そのようなｅＮＢが、ＭＭＥに対してＭＢＭＳサービスＵＥカウンティング報告メッセージを報告することは、必要ではない。関連したｅＮＢが、ＭＭＥに対してＭＢＭＳサービスＵＥカウント結果報告メッセージを報告するので、そのｅＮＢだけが、ＭＢＭＳサービスに興味があり、またはＭＢＭＳサービスを受信しているＵＥにサービスをする。
【００６９】
Ｍ３ＡＰ  ＭＢＭＳサービス・カウント結果報告の詳細なシグナリング設計は、以下のようにリストアップされる。
（注意：参照セクションは、ＴＳ３６．４４４ｖ１０．１．０のことを意味している）
【００７０】
ＭＢＭＳサービス・カウンティングＵＥ結果報告
このメッセージは、ＭＢＭＳサービス・カウント結果報告メッセージの中で示されるように、ＭＢＭＳサービス（単数または複数）を受信しており、またはＭＢＭＳサービス（単数または複数）に興味がある接続モードのＵＥの数を報告するためにｅＮＢ／ＭＣＥによって送信される。
【００７１】
【表１２】
2014523213.tif 000014
【００７２】
【表１３】
2014523213.tif 000015
【００７３】
【表１４】
2014523213.tif 000016
【００７４】
【表１５】
2014523213.tif 000017
【００７５】
次いで、ステップＳ２０９において、ＭＭＥ  １は、関連したｅＮＢからＭＢＭＳサービスＵＥカウント結果報告メッセージを収集する。
【００７６】
このステップにおいて、ＭＭＥ  １は、各ｅＮＢ報告においてカウント結果を収集する。カウント結果から、ＭＭＥ  １は、ｅＮＢが属しているどのＭＢＳＦＮエリアと、各々についてのカウント結果とが、各ＭＢＳＦＮエリアにおいてサービスをカウントしたかということを知ることもできる。そのように行うことによって、ＭＭＥは、ＭＢＳＦＮエリアの細分性に従って各カウント要求サービスについての興味がある／受信しているＵＥの数をカウントすることができる。ＭＭＥ  １は、各ＭＢＳＦＮエリアにおいてサービスに興味があるＵＥの数を記憶することができる。
【００７７】
カウンティング決定アルゴリズムによれば、ＭＭＥ  １は、ＭＢＳＦＮ伝送が、ＭＢＳＦＮエリアにおいて実行されるべきかどうかについての決定を行うことができる。サービス・エリアが、複数のＭＢＳＦＮエリアを含むことができることを仮定して、ＭＭＥ  １は、さらに、どのＭＢＳＦＮエリアに対してそれは、セッション開始を送信するであろうか、またはセッション開始を送信しないであろうかをさらに決定することができる。
【００７８】
次いで、ステップＳ２１０において、ＭＭＥ  １は、どのＭＢＳＦＮエリアにｅＮＢが属しているかを知っており、どのＭＢＳＦＮエリアにおいて、このサービスは、ＭＢＳＦＮモードで送信され得るかを知っている。従って、ステップＳ２１０において、ＭＭＥ  １は、ステップＳ２０９におけるカウント結果の決定に従って、ＭＢＳＦＮ伝送を実行するために、Ｍ３インターフェースの上で、適切なｅＮＢ／ＭＣＥに対して送信されるべきＭＢＭＳセッション開始要求をスケジュールすることができる。
【００７９】
具体的には、一実施形態において、特定のＭＢＭＳサービスを受信する必要があるＵＥの数が第１の所定のしきい値より上であるときに、ＭＢＳＦＮエリアの中のｅＮＢは、ＭＢＳＦＮモードでこの特定のＭＢＭＳサービスを送信するように示唆される。
【００８０】
上記実施形態は、セッション開始の前に、ＭＭＥが、特定のＭＢＳＦＮにおいて特定のＭＢＭＳサービスに興味があるＵＥの数を算出することにより、ＭＢＭＳサービスがＭＢＳＦＮエリアにおいてＭＢＳＦＮモードで送信されるべきかどうかを決定することを説明している。別の実施形態においては、上記フローチャートは、以下の状況の場合にも実質的に適している。即ち、この状況においては、ＭＢＭＳサービスは、伝送プロシージャの中にあり、またオペレータは、このＭＢＭＳサービスのためにカウント要求を開始し、当該サービスが、あるＭＢＳＦＮエリアにおいてセッションを終了するように要求される。違いは、ステップＳ２０１が、ステップＳ２０１’によって置き換えられることになることである。ステップＳ２０１’において、ＭＭＥは、カウント機能を実行するようにＭＭＥに指示するオペレータからＯＡＭコマンドを受信して、ＭＢＭＳサービスのＭＢＳＦＮ伝送を終了させるべきかどうかを決定する。次いで、ＭＭＥと、ｅＮＢと、ＵＥとは、それぞれ対応するステップＳ２０２〜Ｓ２０９を実行する。次いで、ステップＳ２１０は、ステップＳ２１０’によって置き換えられる。ステップＳ２１０’においては、ＭＭＥが、特定のＭＢＭＳサービスを必要としており、または受信しているＵＥの数が第２の所定のしきい値よりも低いことを決定するときに、ＭＭＥは、ＭＢＳＦＮエリアにおいてＭＢＳＦＮモードで特定のＭＢＭＳサービスを送信しているｅＮＢに、ＭＢＳＦＮモードで特定のＭＢＭＳサービスを送信することを停止するように指示する。
【００８１】
上記実施形態における第１の所定のしきい値と、第２の所定のしきい値とは、一例として使用されているにすぎない。これらのしきい値は、ＭＭＥとＭＣＥとにおいて詳細なアルゴリズムと、オペレータの計画とに関係づけられることが、当業者によって理解されるが、これは、本特許の論点ではない。
【００８２】
上記の解決法を用いて、ＭＭＥは、カウンティング・プロシージャの中央集中された制御を担っており、また中央集中型スタンドアロンＭＣＥにおける場合のように、分散型ＭＣＥアーキテクチャにおいてカウント結果についての決定を行う。Ｍ２ＡＰカウント要求に類似した簡単なＭ３ＡＰシグナリング・プロシージャと、報告プロシージャとだけが、Ｍ３インターフェースに追加される。分散型アーキテクチャにおける分散型の初期化の収束と、カウント要求決定と、結果決定とについての複雑さは、回避される。ＭＭＥにおける追加の機能は、カウント要求プロシージャを生成し、また初期化し、カウント結果に従ってカウント結果を処理し、またサービスのためのＭＢＳＦＮ伝送についての決定を行い、またセッション開始メッセージまたはセッション終了メッセージを適切なｅＮＢに対して送信することを決定し、またスケジュールすることが必要とされる。
【００８３】
図５は、本発明の一実施形態よる装置の図を示すものである。第１の装置１０は、ＭＢＭＳサービスに興味があり、またはＭＢＭＳサービスを受信しているＵＥをカウントするためのモビリティ管理エンティティにある。第１の装置１０は、第１の送信デバイス１００と、第１の受信デバイス１０１と、決定デバイス１０２と、処理デバイス１０３とを備える。第２の装置２０は、ｅＮＢのサービング・モビリティ管理エンティティに対してＭＢＭＳサービスＵＥカウンティング情報を報告するためのｅＮＢにあり、そこでは、ｅＮＢは、マルチキャスト調整エンティティ機能を統合しており、また第２の装置２０は、第１の送信デバイス２００と、第２の送信デバイス２０１と、算出デバイス２０２と、報告デバイス２０３とを備える。
【００８４】
最初に、第１の送信デバイス１００は、サービス・エリアに属しており、またモビリティ管理エンティティによってサービスされる少なくとも１つのｅＮＢに対して少なくとも１つのＭＢＭＳサービスＵＥカウント要求メッセージを送信し、そこでは各ｅＮＢは、それぞれマルチキャスト調整エンティティ機能を統合している。
【００８５】
次いで、第２の受信デバイス２００は、モビリティ管理エンティティからＭＢＭＳサービスＵＥカウント要求メッセージを受信する。
【００８６】
次いで、第１の受信デバイス１０１は、少なくとも１つのｅＮＢから少なくとも１つのＭＢＭＳサービスＵＥカウント応答メッセージを受信し、少なくとも１つの応答メッセージは、ＭＢＭＳサービスＵＥカウント要求メッセージが正しく受信されたかどうかにかかわらず、それぞれモビリティ管理エンティティに対してフィードバックするために使用される。
【００８７】
次いで、第２の送信デバイス２０１は、ＭＢＭＳサービスに興味があり、またはＭＢＭＳサービスを受信しているＵＥの数を算出するようにｅＮＢによってサービスされる少なくとも１つのＵＥに対して少なくとも１つのＭＢＭＳサービスＵＥカウント要求ＭＣＣＨメッセージを送信する。
【００８８】
次いで、第２の受信デバイス２００は、少なくとも１つのＵＥの内の少なくとも１つの関連したＵＥによってフィードバックされる少なくとも１つのＭＢＭＳサービスＵＥカウント結果報告メッセージを受信し、少なくとも１つのＭＢＭＳサービスＵＥカウント結果報告メッセージは、少なくとも１つの関連したＵＥが、ＭＢＭＳサービスに興味があり、またはＭＢＭＳサービスを受信していることを報告するために使用される。
【００８９】
次いで、算出デバイス２０２は、関連したＵＥによってフィードバックされる少なくとも１つのＭＢＭＳサービスＵＥカウント結果報告メッセージに従って、特定のＭＢＳＦＮにおいてｅＮＢによってサービスされるセルにおいて、ＭＢＭＳサービスに興味があり、またはＭＢＭＳサービスを受信しているＵＥの数を算出する。
【００９０】
次いで、報告デバイス２０３は、モビリティ管理エンティティに対してＭＢＭＳサービスＵＥカウント結果報告として算出結果を報告する。
【００９１】
第１の受信デバイス１０１は、さらに、少なくとも１つのｅＮＢのうちの少なくとも１つの関連したｅＮＢから少なくとも１つのＭＢＭＳサービスＵＥカウント結果報告を受信するために使用される。
【００９２】
次いで、決定デバイス１０２は、少なくとも１つのＭＢＭＳサービスＵＥカウント結果報告に従って、特定のＭＢＳＦＮにおいてＭＢＳＦＮモードで少なくとも１つのＭＢＭＳサービスを送信すべきかどうかを決定する。
【００９３】
次いで、処理デバイス１０３は、決定結果に従って、対応するｅＮＢに対してＭＢＭＳサービス・セッション開始メッセージまたはＭＢＭＳサービス・セッション終了メッセージを送信する。
【００９４】
上記は、本発明の実施形態の説明である。しかしながら、本発明は、特定のシステムと、デバイスと、詳細なプロトコルとだけに限定されるものではない。当業者なら、添付の特許請求の範囲についての範囲において様々な変形または修正を行うことができる。
【００９５】
説明と、開示された内容と、添付の特許請求の範囲とを読むことにより、当業者なら、開示された実施形態についての他の変形形態を理解し、また実施することができる。特許請求の範囲において、用語「備える／含む（ｃｏｍｐｒｉｓｅ）」は、別の要素（単数または複数）、あるいはステップ（単数または複数）を除外することはなく、またある要素に先行する用語「１つの（ａ／ａｎ）」は、「複数の」そのような要素を除外することはないであろう。本発明において、用語「第１の（ｆｉｒｓｔ）」、「第２の（ｓｅｃｏｎｄ）」などは、任意の特定の順序の代わりに名前を表現するために使用されるだけであろう。本発明の実際の適用においては、コンポーネントは、特許請求の範囲において参照される複数の技術的特徴の機能を実装することができる。特許請求の範囲の中のどのような参照番号も、範囲に対する限定として理解される可能性はない。
【図１】
2014523213.tif 000018
【図２】
2014523213.tif 000019
【図３】
2014523213.tif 000020
【図４】
2014523213.tif 000021
【図５】
2014523213.tif 000022
【国際調査報告】
2014523213.tif 000023
2014523213.tif 000024